(57)【特許請求の範囲】
【請求項１】
椅子(Ｃ)の座部(Ｓ)及び背凭れ部(Ｂ)上に配置された状態で、着座者の臀部から腰部までを被覆できる大きさのシート状物であって、臀部に当接させるシート下部(11)の下肢側に、第一バックル部材(13a)(13a)を裏側に備えた左右一対の舌片部(13)(13)が突設される一方、腰部に当接させるシート上部(12)の裏側には、所定大きさの第一面着部材(12a)が取着された被覆シート体(１)と；
この被覆シート体(１)の第一面着部材(12a)に脱着自在で、かつ、第一面着部材(12a)よりも縦幅が小さい第二面着部材(21a)が片面に取着された帯状クッション(21)と、この帯状クッション(21)の両側に取着され、かつ、各自由端側に前記第一バックル部材(13a)(13a)に脱着可能な第二バックル部材(22a)(22a)がそれぞれ付設された左右一対の下肢固定用ベルト(22)(22)と、この下肢固定用ベルト(22)(22)或いは前記帯状クッション(21)に固定され、かつ、各自由端側に相互に脱着可能な第三バックル部材(23a)および第四バックル部材(23b)がそれぞれ付設された左右一対の椅子固定用ベルト(23)(23)とを有する複合ベルト(２)とを含んで成り、
前記複合ベルト(２)を被覆シート体(１)に固定した状態で、椅子固定用ベルト(23)(23)を背凭れ部(Ｂ)の後側に回して連結し、更に被覆シート体(１)の舌片部(13)(13)を着座者の大腿部内側に巻き付けて、下肢固定用ベルト(22)(22)に連結することによって着座者の着座位置が固定されることを特徴とするベルト式座位保持具。
【請求項２】
被覆シート体(１)がクッション性および通気性を有する立体メッシュシートから成ることを特徴とする請求項１記載のベルト式座位保持具。
【請求項３】
被覆シート体(１)における左右一対の舌片部(13)(13)が、非装着状態において互いに交差するように内向きに設けられていることを特徴とする請求項１または２記載のベルト式座位保持具。
【請求項４】
複合ベルト(２)の帯状クッション(21)の中央に長手方向にわたって芯板(21c)が挿入されていることを特徴とする請求項１〜３の何れか一つに記載のベルト式座位保持具。
【請求項５】
複合ベルト(２)の帯状クッション(21)の中央裏側に芯板(21c)を挿入するためのポケット部(21b)が設けられていることを特徴とする請求項４記載のベルト式座位保持具。
【発明の詳細な説明】
【技術分野】
【０００１】
本発明は、ベルト式座位保持具の改良、詳しくは、車椅子等に座った着座者に不快感が生じない状態で着座位置を固定することができ、また、着座者の下肢のふらつきや着座姿勢の崩れも防止でき、しかも、体型の異なる着座者に対しても柔軟に対応できるベルト式座位保持具に関するものである。
【背景技術】
【０００２】
周知のとおり、自ら立って歩くことのできない下半身が不自由な被介護者を移動させる際には、車椅子等を利用するのが一般的であるが、被介護者を乗せた状態で車椅子を動かすと走行中の振動や停止時の慣性力によって、被介護者の着座位置が前方にズレて着座姿勢が崩れたり、車椅子から転落したりする問題が生じる。
【０００３】
そこで、従来においては、車椅子に装着できるＨ型またはＴ型の股ベルトも開発されているが(例えば、特許文献１参照)、これら従来の股ベルトは、被介護者の着座位置を前方にズラす負荷がかかった際に、中央のベルトによって被介護者の股間が圧迫される構造であったため、座り心地を損なう原因となっていた。
【０００４】
一方、従来においては、大腿部に巻き付ける脚拘束帯を有するハーネス型のチャイルドシートも開発されているが(特許文献２参照)、この技術に関しては、ハーネスをシートベルトに装着して着座位置を固定する構造であったため、シートベルトを持たない車両シート以外の車椅子等には利用することができなかった。
【０００５】
また、上記ハーネス型の座位保持具に関しては、着座者の腰部の支持が充分に行われていなかったため、着座中に骨盤が後傾して被介護者の着座姿勢が崩れる問題もあった。加えて、腰部のサポートが不充分になることで着座時の腰部の負担が増大し、長時間の着座によって被介護者に腰痛が生じる問題もあった。
【０００６】
他方、従来においては、被介護者の腰部に巻く骨盤ベルトを備え、かつ、骨盤ベルトと背凭れ部とを面ファスナで固定できるようにした座位保持具も公知となっているが(特許文献３参照)、この技術では、骨盤ベルトの位置を調節できなかったため、着座者の体型に応じて個別に座位保持具を作製する必要があった。
【０００７】
また、上記骨盤ベルト式の座位保持具に関しては、下肢の固定が行われていなかったため、被介護者を車椅子に載せて移動する際に下肢が内外方向にふらつく問題があった。しかも、上記座位保持具を使用する際には、背凭れ部の所定位置に面ファスナの取付け加工を行った椅子をわざわざ用意する必要があった。
【先行技術文献】
【特許文献】
【０００８】
【特許文献１】特開２００５−１４３８８８号公報
【特許文献２】特開２００３−２４６２３０号公報
【特許文献３】実用新案登録第３１２７５８３号公報
【発明の概要】
【発明が解決しようとする課題】
【０００９】
本発明は、上記の如き問題に鑑みて為されたものであり、その目的とするところは、車椅子等に座った着座者に不快感が生じない状態で着座位置を固定することができ、また、着座者の下肢のふらつきや着座姿勢の崩れも防止でき、しかも、体型の異なる着座者に対しても柔軟に対応可能で椅子の背凭れ部に特別な加工を行う必要もないベルト式座位保持具を提供することにある。
【課題を解決するための手段】
【００１０】
本発明者が上記課題を解決するために採用した手段は次のとおりである。
【００１１】
即ち、本発明は、椅子Ｃの座部Ｓ及び背凭れ部Ｂ上に配置された状態で、着座者の臀部から腰部までを被覆できる大きさのシート状物であって、臀部に当接させるシート下部11の下肢側に、第一バックル部材13a・13aを裏側に備えた左右一対の舌片部13・13が突設される一方、腰部に当接させるシート上部12の裏側に、所定大きさの第一面着部材12aが取着された被覆シート体１と；
この被覆シート体１の第一面着部材12aに脱着自在で、かつ、第一面着部材12aよりも縦幅が小さい第二面着部材21aが片面に取着された帯状クッション21と、この帯状クッション21の両側に取着され、かつ、各自由端側に前記第一バックル部材13a・13aに脱着可能な第二バックル部材22a・22aがそれぞれ付設された左右一対の下肢固定用ベルト22・22と、この下肢固定用ベルト22・22或いは前記帯状クッション21に固定され、かつ、各自由端側に相互に脱着可能な第三バックル部材23aおよび第四バックル部材23bがそれぞれ付設された左右一対の椅子固定用ベルト23・23とを有する複合ベルト２とを含んでベルト式座位保持具を構成し、
前記複合ベルト２を被覆シート体１に固定した状態で、椅子固定用ベルト23・23を背凭れ部Ｂの後側に回して連結し、更に被覆シート体１の舌片部13・13を着座者の大腿部内側に巻き付けて、下肢固定用ベルト22・22に連結することによって着座者の着座位置を固定できるようにした点に特徴がある。
【００１２】
また、上記被覆シート体１に関しては、長時間使用する場合でも着座者が不快感を生じないようにクッション性および通気性に優れた立体メッシュシートを使用するのが好ましい。なお「立体メッシュシート」とは、表側のメッシュシート材と裏側のシート材がモノフィラメントで連結された立体編物のことをいう。
【００１３】
また更に、上記被覆シート体１における左右一対の舌片部13・13については、非装着状態において互いに交差するように内向きに設けることによって、捻れなく着座者の大腿部内側に巻き付けることができる。
【００１４】
そしてまた、上記複合ベルト２の帯状クッション21には、中央裏側に長手方向にわたって芯板21cを挿入することによって、使用時における腰部のサポート感を向上させることができる。またその場合には、帯状クッション21の洗濯等を行い易いように、帯状クッション21の中央裏側に芯板21cを挿入するためのポケット部21bを設けて、芯板21cを取外し可能に構成するのが好ましい。
【発明の効果】
【００１５】
本発明では、ベルト式座位保持具を、下肢側に舌片部が形成された被覆シートと、下肢固定用ベルトと椅子固定用ベルトが一体化した複合ベルトとから構成したことにより、複合ベルトで椅子の背凭れ部への固定と着座者の左右の大腿部の固定を行うことができるため、股間を圧迫せずに着座者の着座位置の前ズレを防止できる。よって、着座者に不快な思いをさせずに、着座者の姿勢の崩れや車椅子からの転落を防止できる。
【００１６】
また本発明では、上記複合ベルトに帯状クッションを設けて、この帯状クッションが着座者の腰部に当接するように複合ベルトを装着することによって、着座者の腰部をしっかりと支持することが可能となるため、骨盤の後傾を防いで着座者の着座姿勢を背筋が伸びた良好な姿勢で維持することができる。また腰痛の問題も解消できる。
【００１７】
しかも、本発明では、上記帯状クッションと被覆シートに関して、帯状クッションの面着部材に、被覆シートの面着部材よりも縦幅が小さいものを使用しているため、体型が異なる着座者に応じて腰部サポートが適正な位置で行われるように、被覆シートに対する帯状クッションの取付け位置を上下に調節することもできる。
【００１８】
また、本発明では、被覆シートの舌片部と下肢固定用ベルトによって、着座者の下肢が外側に向けて固定された状態となるため、車椅子の走行中における下肢のふらつきも防止できる。そしてまた、本発明では、椅子固定用ベルトによって、座位保持具と椅子の固定を行っているため、椅子に特別な加工を行う必要もない。
【００１９】
したがって、本発明により、被介護者を車椅子に乗せて移動する際に、被介護者の着座位置を固定して安全性に走行できるだけでなく、被介護者の良好な座り心地を損なわずに良好な姿勢の保持および下肢の固定も行え、しかも、様々な体型の被介護者に使用できる使い勝手に優れたベルト式座位保持具を提供できることから、本発明の実用的利用価値は頗る高い。
【図面の簡単な説明】
【００２０】
【図１】本発明の実施例１におけるベルト式座位保持具を表わす全体正面図および全体背面図である。
【図２】本発明の実施例１におけるベルト式座位保持具を分解した状態を表わす正面図である。
【図３】本発明の実施例１における帯状クッションの構造および芯材を取り外した状態を表わす拡大斜視図である。
【図４】本発明の実施例１におけるベルト式座位保持具の使用状態を表わす状態説明図である。
【図５】本発明の実施例１におけるベルト式座位保持具の使用状態を表わす状態説明図である。
【図６】本発明の実施例１におけるベルト式座位保持具の使用状態を表わす状態説明図である。
【発明を実施するための形態】
【００２１】
『実施例１』
まず本発明の実施例１について、図１〜図６に基いて以下に説明する。なお同図において、符号１で指示するものは、被覆シートであり、符号２で指示するものは、複合ベルトである。
【００２２】
［ベルト式座位保持具の構成］
この実施例１では、着座者の臀部から腰部までを被覆できる大きさのシート状物から成る被覆シート体１と、この被覆シート体１の裏側に脱着自在に固定される複合ベルト２とからベルト式座位保持具Ｔを構成している(図１参照)。また、被覆シート体１のシート下部11(臀部に当接させる部位)の下肢側には、左右一対の舌片部13・13を突設している。
【００２３】
また、上記複合ベルト２については、被覆シート体１とほゞ同じ横幅を有する帯状クッション21と、その両端に取着された比較的短尺なベルトから成る左右一対の下肢固定用ベルト22・22と、この下肢固定用ベルト22・22に固定された比較的長尺なベルトから成る左右一対の椅子固定用ベルト23・23とから構成している。
【００２４】
また本実施例では、上記被覆シート体１の材料に、クッション性および通気性に優れた立体メッシュシートを使用すると共に、上記複合ベルト２の帯状クッション21にも同様の立体メッシュシートを使用している。また本実施例では、上記被覆シート体１の左右一対の舌片部13・13を、互いに交差するように内向きに形成している。
【００２５】
一方、上記被覆シート体１と複合ベルト２の脱着構造については、図２に示すように、被覆シート体１のシート上部12(腰部に当接させる部位)の裏側に所定大きさの第一面着部材12aを取着すると共に、複合ベルト２の帯状クッション21の片面に第一面着部材12aと脱着自在な第二面着部材21aを取着して構成している。
【００２６】
また本実施例では、上記帯状クッション21に取着する第二面着部材21aの縦幅を、被覆シート体１の第一面着部材12aの縦幅の１／３程度に小さくして、第一面着部材12a上における第二面着部材21aの固定位置を上下に調節できるようにしている。なお、第二面着部材21aの縦幅については、上下の調節幅の確保と固定強度の確保を両立するために第一面着部材12aの１／４〜１／２程度にするのが好ましい。
【００２７】
そしてまた、本実施例では、上記被覆シート体１の第一面着部材12aに雄型の面ファスナを、複合ベルト２の第二面着部材21aに雌型の面ファスナを使用しているが、面ファスナの雄雌は逆でもよく、また一枚物の面ファスナでなく分轄された複数の面ファスナを使用して、これらを横幅方向や縦幅方向に並べて付設することもできる。
【００２８】
他方、上記被覆シート体１の舌片部13・13と複合ベルト２の下肢固定ベルト22・22については、舌片部13・13の裏側に第一バックル部材13a・13aを付設すると共に、下肢固定用ベルト22・22の各自由端側に第一バックル部材13a・13aに脱着可能な第二バックル部材22a・22aをそれぞれ付設して連結可能に構成している。
【００２９】
また更に、上記複合ベルト２の椅子固定用ベルト23・23については、各自由端側に相互に脱着可能な第三バックル部材23aおよび第四バックル部材23bをそれぞれ付設して、椅子固定用ベルト23・23同士を連結できるように構成している。また本実施例では、下肢固定用ベルト22及び椅子固定用ベルト23の一方に長さ調節を行うためのアジャスト部材22c・23cをそれぞれ設けている。
【００３０】
他方また、上記複合ベルト２の帯状クッション21については、図３(a)に示すように、中央裏側に長手方向にわたってプラスチック板を芯板21cとして挿入している。また本実施例では、帯状クッション21の洗濯等を行い易いように、帯状クッション21の中央裏側に芯板21cを挿入するためのポケット部21bを設けて、図３(b)に示すように芯板21cを取外し可能に構成している。
【００３１】
［ベルト式座位保持具の使用方法］
次に、上記ベルト式座位保持具Ｔの使用方法について以下に説明する。まず図４(a)に示すように、椅子Ｃの座部Ｓ及び背凭れ部Ｂ上に被覆シート体１を配置する。そして、図４(b)に示すように、複合ベルト２を被覆シート体１に固定した状態で、椅子固定用ベルト23・23を背凭れ部Ｂの後側に回して、第三バックル部材23aと第四バックル部材23bで連結する。
【００３２】
なお、上記ベルト式座位保持具Ｔについては、走行式の車椅子に対しても定置式の普通の椅子に対しても使用することができ、また両側に肘掛け部を有する椅子Ｃに使用した場合には、背凭れ部Ｂの後側に回して連結した椅子固定用ベルト23・23を肘掛け部によって一定の高さで保持することができる。
【００３３】
そして、上記のように椅子Ｃ上にベルト式座位保持具Ｔを固定した後は、図５に示すように着座者を椅子Ｃ上に座らせた状態で、図６(a)に示すように、被覆シート体１の舌片部13・13を着座者の大腿部内側に巻き付け、舌片部13・13の第一バックル部材13a・13aを下肢固定用ベルト22・22の第二バックル部材22a・22aに連結する。
【００３４】
これにより、着座者の局部を圧迫することなく着座者の着座位置を固定して、着座位置の前ズレによる姿勢の崩れを防止することができる。また大腿部内側に巻いた被覆シート体１の舌片部13と下肢固定ベルト22によって着座者の下肢が外側に開いた状態で固定されるため、着座者の下肢の内転を防止することもできる。
【００３５】
また、上記被覆シート体１の舌片部13・13については、着座者の大腿部を広面積で支持できるため、大腿部への荷重を分散することができ、特に本実施例では、被覆シート体１の舌片部13を内向きに設けて、舌片部13を捻れなく着座者の大腿部内側にフィットさせているため、荷重の集中により大腿部に圧痛が生じる心配もない。
【００３６】
また本実施例では、被覆シート体１及び複合ベルト２の帯状クッション21にクッション性及び通気性に優れた立体メッシュシートを使用しているため、椅子Ｃ上における着座者の着座時間が長時間にわたる場合でも、臀部や腰部に圧痛や蒸れ、熱のこもり等による不快感が生じる心配もない。
【００３７】
また更に、上記ベルト式座位保持具Ｔを用いれば、図６(b)に示すように、複合ベルト２の帯状クッション21によって着座者の腰部を支持できるため、腰痛を軽減できるだけでなく骨盤の後傾を防いで背筋が伸びた良い着座姿勢を保つこともできる。また特に本実施例では、帯状クッション21に芯材21を使用しているため、腰部のサポート感を向上させることができる。
【００３８】
そして更に、上記被覆シート体１の第一面着部材12a上における帯状クッション21の第二面着部材21aの固定位置を上下に調節することで、着座者の腰の高さに合わせて腰当てとなる帯状クッション21を配置することができるため、体型が異なる着座者が使用する場合でも充分な腰部サポート効果が得られる。
【００３９】
本発明は、概ね上記のように構成されるが、記載した実施例にのみ限定されるものではなく、「特許請求の範囲」の記載内において種々の変更が可能であって、例えば、被覆シート体１の材質については、所定強度を有するシート状の物であれば、発泡ウレタンシート等のシート状クッションや織物や編物等の布帛、皮革等を採用することもできる。
【００４０】
また、上記複合ベルト２の帯状クッション21の材質についても、発泡ウレタンシートや発泡ビーズ等の他のクッション材料を使用することができる。また、複合ベルト２の椅子固定用ベルト23・23については、下肢固定用ベルト22・22でなく帯状クッション21に直接固定することもできる。
【００４１】
そしてまた、被覆シート体１や複合ベルト２に使用するバックル部材に関しても、脱着が自在な種々の構造のものを自由に選択して採用することができ、下肢固定用ベルト22・22及び椅子固定用ベルト23・23の材質も所定の強度を有するものから選択して使用することができ、何れのものも本発明の技術的範囲に属する。
【産業上の利用可能性】
【００４２】
近年、介護・福祉の分野では、被介護者(障碍者や高齢者等)の快適性かつ安全性を考慮した様々な補助具が開発されている。そのような中で、本発明のベルト式座位保持具は、車椅子等に座った被介護者の着座位置及び着座姿勢を不快感なく保持できる有用な技術であるため、その産業上の利用価値は非常に高い。
【符号の説明】
【００４３】
１  被覆シート
11  シート下部
12  シート上部
12a  第一面着部材
13  舌片部
13a  第一バックル部材
２  座位保持ベルト
21  帯状クッション
21a  第二面着部材
21b  ポケット部
21c  芯材
22  下肢固定用ベルト
22a  第二バックル部材
22b  アジャスト部材
23  椅子固定用ベルト
23a  第三バックル部材
23b  第四バックル部材
23c  アジャスト部材
Ｃ  椅子
Ｓ  座部
Ｂ  背凭れ部
Ｔ  ベルト式座位保持具
【図１】
0006440390.tif 000002
【図２】
0006440390.tif 000003
【図３】
0006440390.tif 000004
【図４】
0006440390.tif 000005
【図５】
0006440390.tif 000006
【図６】
0006440390.tif 000007